(57)【要約】【課題】  ワンセグのチャンネル設定を常に視聴可能な設定とし、端末自体の消費電力を最小限に抑えることが可能な移動携帯端末を提供する。【解決手段】  移動携帯端末（１）は、基地局との通信を行う無線機能（無線部１２）と、地上ディジタル放送における１セグメント放送を受信するワンセグ機能（無線部１２）と、自端末の位置情報を取得するＧＰＳ機能（ＧＰＳ機能部１５）とを含む。また、移動携帯端末（１）は、自端末が接続している基地局エリアが切り替わったかを判定する判定手段（制御部１１）と、その判定結果に応じてＧＰＳ機能（ＧＰＳ機能部１５）の起動と停止とを行う制御手段（制御部１１）と、ＧＰＳ機能（ＧＰＳ機能部１５）を起動することで得た現在地の位置情報に対応するワンセグの電波局のチャンネル設定を切替える手段（制御部１１）とを有する。【選択図】      図１
2009302691.tif 000002
【特許請求の範囲】
【請求項１】
基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末であって、
自端末が接続している基地局エリアが切り替わったかを判定する判定手段と、前記判定手段の判定結果に応じて前記ＧＰＳ機能の起動と停止とを行う制御手段と、前記制御手段による前記ＧＰＳ機能を起動することで得た現在地の位置情報に対応するワンセグの電波局のチャンネル設定を切替える手段とを有することを特徴とする移動携帯端末。
【請求項２】
前記制御手段は、前記判定手段にて前記基地局エリアの切り替え情報から自端末が広い範囲で移動したと認識した時に前記ＧＰＳ機能を起動し、前記現在地の位置情報を取得後に前記ＧＰＳ機能を停止することを特徴とする請求項１記載の移動携帯端末。
【請求項３】
前記ワンセグの電波局の位置情報及びチャンネル設定を格納する記憶手段と、前記現在地の位置情報に基づいて前記記憶手段から前記チャンネル設定を取得する手段とを含むことを特徴とする請求項１または請求項２記載の移動携帯端末。
【請求項４】
前記ワンセグの電波局の位置情報及びチャンネル設定を格納するサーバから前記現在地の位置情報に基づいて前記チャンネル設定を取得する手段を含むことを特徴とする請求項１または請求項２記載の移動携帯端末。
【請求項５】
複数のチャンネル設定を取得した時に同一放送局に割り当てられているチャンネル同士の受信レベルを比較し、一番受信レベルの高いワンセグ電波局のチャンネル設定に切り替えることを特徴とする請求項１から請求項４のいずれか記載の移動携帯端末。
【請求項６】
請求項１から請求項５のいずれかに記載の移動携帯端末を含むことを特徴とするワンセグチャンネル設定システム。
【請求項７】
基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末に用いるワンセグチャンネル設定最適化方法であって、
自端末が接続している基地局エリアが切り替わったかを判定する判定ステップと、前記判定ステップの判定結果に応じて前記ＧＰＳ機能の起動と停止とを行う制御ステップと、前記制御ステップにて前記ＧＰＳ機能を起動することで得た現在地の位置情報に対応するワンセグの電波局のチャンネル設定を切替えるステップとを有することを特徴とするワンセグチャンネル設定最適化方法。
【請求項８】
前記制御ステップにおいて、前記判定ステップにて前記基地局エリアの切り替え情報から自端末が広い範囲で移動したと認識した時に前記ＧＰＳ機能を起動し、前記現在地の位置情報を取得後に前記ＧＰＳ機能を停止することを特徴とする請求項７記載のワンセグチャンネル設定最適化方法。
【請求項９】
前記ワンセグの電波局の位置情報及びチャンネル設定を格納する記憶手段を前記移動携帯端末に設け、
前記現在地の位置情報に基づいて前記記憶手段から前記チャンネル設定を取得するステップを含むことを特徴とする請求項７または請求項８記載のワンセグチャンネル設定最適化方法。
【請求項１０】
前記ワンセグの電波局の位置情報及びチャンネル設定を格納するサーバから前記現在地の位置情報に基づいて前記チャンネル設定を取得するステップを含むことを特徴とする請求項７または請求項８記載のワンセグチャンネル設定最適化方法。
【請求項１１】
複数のチャンネル設定を取得した時に同一放送局に割り当てられているチャンネル同士の受信レベルを比較し、一番受信レベルの高いワンセグ電波局のチャンネル設定に切り替えることを特徴とする請求項７から請求項１０のいずれか記載のワンセグチャンネル設定最適化方法。
【請求項１２】
基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末内の制御装置に実行させるプログラムであって、
自端末が接続している基地局エリアが切り替わったかを判定する判定処理と、前記判定処理の判定結果に応じて前記ＧＰＳ機能の起動と停止とを行う制御処理と、前記制御処理にて前記ＧＰＳ機能を起動することで得た現在地の位置情報に対応するワンセグの電波局のチャンネル設定を切替える処理とを含むことを特徴とするプログラム。
【発明の詳細な説明】
【技術分野】
【０００１】
本発明は移動携帯端末、ワンセグチャンネル設定システム及びそれらに用いるワンセグチャンネル設定最適化方法並びにそのプログラムに関し、特にワンセグのチャンネル設定の自動最適化に関する。
【背景技術】
【０００２】
本発明に関連する技術では、ワンセグ（地上ディジタル放送における１セグメント放送）のチャンネル設定をする方法として、ユーザが電波局情報を入力して地域毎に異なるワンセグのチャンネル設定を行うか、現在の電波状況をモニタして視聴可能なチャンネルを登録する、等の事前動作が必要な方法がとられている。
【０００３】
したがって、ワンセグの受信機能を備える移動携帯端末が各地を移動している時に、すぐにワンセグを視聴することができないことが起こり得るという課題がある。つまり、本発明に関連する技術においては、チャンネル設定の変更が必要な状況を移動携帯端末において自動で判断し、常にチャンネル設定の最適化を行う技術が求められている。
【０００４】
上記の課題を解決する方法としては、下記の特許文献１，２に記載の方法がある。特許文献１では、ＧＰＳ（Ｇｌｏｂａｌ  Ｐｏｓｉｔｉｏｎｉｎｇ  Ｓｙｓｔｅｍ）センサにより現在地の情報を取得し、放送局エリア情報と探索経路から現在地における第１の放送区域とこれから移動する第２の放送区域の情報を取得する。特許文献１では、第２の放送区域内に入ると、２つのチューナによって第１の放送区域の第１の電波塔からの放送波の電解強度と第２の放送区域の第２の電波塔からの放送波の電解強度を検出して比較する。
【０００５】
また、特許文献１では、使用者が移動して、第２の電波塔からの放送波の電解強度が第１の電波塔からの放送波の電解強度より強くなると、第２の放送区域で視聴可能なチャンネルの放送を表示モニタやスピーカに出力する。
【０００６】
一方、特許文献２では、移動体に搭載され、複数の放送エリア毎に異なるチャンネルで放送された放送データを受信する受信機において、システム制御部が、放送データを受信するためのチャンネルを設定し、移動体の現在位置を示す位置情報を取得する。
【０００７】
システム制御部は、位置情報に示された移動体の現在位置が予め区分された一の地域から他の地域に変わったか否かを判別し、一の地域から他の地域に変わったと判別された時に、一の地域に対応するチャンネルから他の地域に対応するチャンネルに切替えて設定する。
【０００８】
【特許文献１】特開２００６−０７４１１３号公報
【特許文献２】特開２００７−３１１９８７号公報
【発明の開示】
【発明が解決しようとする課題】
【０００９】
上述した本発明に関連するチャンネル設定方法では、位置情報の取得にＧＰＳを用いる場合、常にＧＰＳを起動したままの場合、現在位置情報を必要とするタイミング以外にも、ＧＰＳの起動による端末自体の消費電力が増加してしまうため、ＧＰＳを起動するタイミングをコントロールする必要があるという課題がある。この課題は、上記の特許文献１，２にも共通の課題である。
【００１０】
そこで、本発明の目的は上記の問題点を解消し、ワンセグのチャンネル設定を常に視聴可能な設定とすることができ、端末自体の消費電力を最小限に抑えることができる移動携帯端末、ワンセグチャンネル設定システム及びそれらに用いるワンセグチャンネル設定最適化方法並びにそのプログラムを提供することにある。
【課題を解決するための手段】
【００１１】
本発明による移動携帯端末は、基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末であって、
自端末が接続している基地局エリアが切り替わったかを判定する判定手段と、前記判定手段の判定結果に応じて前記ＧＰＳ機能の起動と停止とを行う制御手段と、前記制御手段による前記ＧＰＳ機能を起動することで得た現在地の位置情報に対応するワンセグの電波局のチャンネル設定を切替える手段とを備えている。
【００１２】
本発明によるワンセグチャンネル設定システムは、上記の移動携帯端末を含むことを特徴とする。
【００１３】
本発明によるワンセグチャンネル設定最適化方法は、基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末に用いるワンセグチャンネル設定最適化方法であって、
自端末が接続している基地局エリアが切り替わったかを判定する判定ステップと、前記判定ステップの判定結果に応じて前記ＧＰＳ機能の起動と停止とを行う制御ステップと、前記制御ステップにて前記ＧＰＳ機能を起動することで得た現在地の位置情報に対応するワンセグの電波局のチャンネル設定を切替えるステップとを備えている。
【００１４】
本発明によるプログラムは、基地局との通信を行う無線機能と、地上ディジタル放送における１セグメント放送を受信するワンセグ機能と、自端末の位置情報を取得するＧＰＳ（Ｇｌｏｂａｌ  Ｐｏｓｉｔｉｏｎｉｎｇ  Ｓｙｓｔｅｍ）機能とを含む移動携帯端末内の制御装置に実行させるプログラムであって、
自端末が接続している基地局エリアが切り替わったかを判定する判定処理と、前記判定処理の判定結果に応じて前記ＧＰＳ機能の起動と停止とを行う制御処理と、前記制御処理にて前記ＧＰＳ機能を起動することで得た現在地の位置情報に対応するワンセグの電波局のチャンネル設定を切替える処理とを含むことを特徴とする。
【発明の効果】
【００１５】
本発明は、上記のような構成及び動作とすることで、ワンセグのチャンネル設定を常に視聴可能な設定とすることができ、端末自体の消費電力を最小限に抑えることができるという効果が得られる。
【発明を実施するための最良の形態】
【００１６】
次に、本発明の実施の形態について図面を参照して説明する。まず、本発明によるワンセグチャンネル設定システムの概要について説明する。本発明によるワンセグチャンネル設定システムでは、移動携帯端末（例えば、携帯電話機等）にワンセグ（地上ディジタル放送における１セグメント放送）の視聴機能を搭載している。
【００１７】
移動携帯端末では、基地局エリアの変更を検出した際に、ＧＰＳ（Ｇｌｏｂａｌ  Ｐｏｓｉｔｉｏｎｉｎｇ  Ｓｙｓｔｅｍ）を起動し、ＧＰＳにて現在地の位置情報を取得した後に、ＧＰＳをＯＦＦとし、現在地に対応するワンセグの電波局のチャンネル設定を自動で入手して切り替えることによって、ワンセグのチャンネル設定を常に視聴可能な設定とすることができ、端末自体の消費電力を最小限に抑えることができる。
【００１８】
図１は本発明の第１の実施の形態による移動携帯端末の構成例を示すブロック図である。図１において、移動携帯端末１は、制御部１１と、無線部１２と、アンテナ１３と、メモリ１４と、ＧＰＳ機能部１５と、ＧＰＳ用アンテナ１６と、表示部１７と、操作部１８と、音声入出力部１９とを含んで構成されている。
【００１９】
制御部１１は、移動携帯端末１内の各動作を制御するＣＰＵ（中央処理装置）等の制御機器である。無線部１２は、アンテナ１３を介してデータ通信や音声通信用の無線信号の送受信処理、ワンセグ用の電波の受信処理を行う。
【００２０】
メモリ１４は、制御部１１で実行されるプログラムやワンセグのチャンネル設定の情報等を格納する。ＧＰＳ機能部１５は、ＧＰＳ用アンテナ１６を介して受信した人工衛星（図示せず）からの信号を基に現在地の位置情報を生成する。
【００２１】
表示部１７は、データ通信で送受信するデータ、無線部１２で受信したワンセグの映像等を表示する。操作部１８は、データ通信や音声通信、ワンセグのチャンネル切り替え等の操作を行うためのキー等である。音声入出力部１９は受信した音声の出力や図示せぬマイクからの音声の入力を行う。
【００２２】
図２は本発明の第１の実施の形態による移動携帯端末１のチャンネル設定の自動最適化処理を示すフローチャートであり、図３は本発明の第１の実施の形態による基地局エリア及びワンセグエリアを示す図である。これら図１〜図３を参照して本発明の第１の実施の形態によるワンセグチャンネル設定システムの動作について説明する。尚、図２に示す処理は、制御部１１がメモリ１４のプログラムを実行することで実現可能である。
【００２３】
アンテナ１３は、通話、データ受信等の受信信号を無線部１２に出力すると共に、無線部１２から入力される通話、データ送信等の送信信号を送信する。無線部１２は、周波数変換処理や変復調処理を行い、受信データを制御部１１に出力する。制御部１１は移動携帯端末１の全ての動作の制御を行う。
【００２４】
制御部１１は、使用者による操作部１８からの指示信号の入力により自動最適化の実施許可中であれば（図２ステップＳ１）、基地局エリア＃１から基地局エリア＃２まで移動携帯端末１が移動した場合等、自端末が接続している基地局エリアが切り替わったかを判定する（図２ステップＳ２）。
【００２５】
制御部１１は、上記の基地局エリアの切り替え情報から自端末が広い範囲で移動したことを認識すると、ＧＰＳ機能部１５を起動し、現在地の位置情報を入手する（図２ステップＳ３）。
【００２６】
制御部１１は、現在地の位置情報を入手すると、ＧＰＳ機能部１５をＯＦＦ（電源断）し（図２ステップＳ４）、現在地の位置情報を基に最寄りのワンセグ電波局をサーチし、そのワンセグ電波局に対応するチャンネル設定をサーチする（図２ステップＳ５）。制御部１１は、サーチしたチャンネル設定への切り替えを行う（図２ステップＳ６）。
【００２７】
最寄りのワンセグ電波局のサーチは、移動携帯端末１内部のメモリ１４のデータや、ネットワーク上のサーバ（図示せず）からの情報等を基に実施することが考えられる。
【００２８】
つまり、本実施の形態では、メモリ１４やサーバに、ワンセグ電波局各々に対応付けて、そのワンセグ電波局の位置情報及びチャンネル設定を格納しておくことで、最寄りのワンセグ電波局のサーチ、そのワンセグ電波局に対応するチャンネル設定のサーチが可能となる。
【００２９】
この場合、それらの情報の格納先がメモリ１４であれば、制御部１１が現在地の位置情報を基にメモリ１４からチャンネル設定を直接読出せばよい。また、それらの情報の格納先がサーバであれば、制御部１１が現在地の位置情報を基に、無線部１２及びアンテナ１３を介してサーバからチャンネル設定を取得すればよい。
【００３０】
このように、本実施の形態では、使用者が移動する毎にワンセグのチャンネル設定を行わなくとも、常にワンセグのチャンネル設定を視聴可能に設定することができ、ワンセグ使用方法の簡易化を図ることができる。
【００３１】
また、本実施の形態では、基地局エリアの切り替え情報から広い範囲で移動した場合のように、位置情報を必要とするタイミングでのみ、ＧＰＳ機能部１５を起動するため、移動携帯端末１自体の消費電力を最小限に抑えることができる。
【００３２】
図４は本発明の第２の実施の形態による移動携帯端末のチャンネル設定の自動最適化処理を示すフローチャートであり、図５は本発明の第２の実施の形態による移動携帯端末の動作を説明するための図である。
【００３３】
本発明の第２の実施の形態による移動携帯端末は、上記の図１に示す本発明の第１の実施の形態による移動携帯端末と同様の構成となっているが、図４に示すように、チャンネル設定の自動最適化処理が本発明の第１の実施の形態と異なっている。以下、図１と図３〜図５とを参照して本発明の第２の実施の形態によるワンセグチャンネル設定システムの動作について説明する。尚、図４に示す処理は、制御部１１がメモリ１４のプログラムを実行することで実現可能である。
【００３４】
制御部１１は、使用者による操作部１８からの指示信号の入力により自動最適化の実施許可中であれば（図４ステップＳ１１）、基地局エリア＃１から基地局エリア＃２まで移動携帯端末１が移動した場合等、自端末が接続している基地局エリアが切り替わったかを判定する（図４ステップＳ１２）。
【００３５】
制御部１１は、上記の基地局エリアの切り替え情報から自端末が広い範囲で移動したことを認識すると、ＧＰＳ機能部１５を起動し、現在地の位置情報を入手する（図４ステップＳ１３）。
【００３６】
制御部１１は、現在地の位置情報を入手すると、ＧＰＳ機能部１５をＯＦＦ（電源断）し（図４ステップＳ１４）、最寄りのワンセグ電波局をサーチし、そのワンセグ電波局に対応するチャンネル設定をサーチする（図４ステップＳ１５）。
【００３７】
制御部１１は、そのサーチによって複数のワンセグ電波局（複数のチャンネル設定）がサーチされなければ（図４ステップＳ１６）、サーチしたチャンネル設定への切り替えを行う（図４ステップＳ１８）。
【００３８】
制御部１１は、そのサーチによって複数のワンセグ電波局（複数のチャンネル設定）がサーチされれば（図４ステップＳ１６）、同一放送局に割り当てられているチャンネル同士の受信レベルを比較し（図４ステップＳ１７）、一番受信レベルの高いワンセグ電波局のチャンネル設定に切り替える（図４ステップＳ１８）。
【００３９】
この受信レベルの比較の具体例を図５に示す。図５においては、電波局Ａと電波局Ｂのチャンネル割り当ての中で同一放送局である「＊＊テレビ」のそれぞれのチャンネル［電波局Ａ：ＵＨＦ（Ｕｌｔｒａ  Ｈｉｇｈ  Ｆｒｅｑｕｅｎｃｙ）３３ｃｈ、電波局Ｂ：ＵＨＦ２５ｃｈ］における受信レベルを比較し、受信レベルの大きい電波局のチャンネル設定を選択して切り替える。
【００４０】
このように、本実施の形態では、常に受信レベルの高いチャンネルを選択可能となるので、ワンセグの安定した視聴が可能となる。また、本実施の形態では、位置情報を必要とするタイミングでのみ、ＧＰＳ機能部１５を起動するため、移動携帯端末１自体の消費電力を最小限に抑えることができる。
【図面の簡単な説明】
【００４１】
【図１】本発明の第１の実施の形態による移動携帯端末の構成例を示すブロック図である。
【図２】本発明の第１の実施の形態による移動携帯端末１のチャンネル設定の自動最適化処理を示すフローチャートである。
【図３】本発明の第１の実施の形態による基地局エリア及びワンセグエリアを示す図である。
【図４】本発明の第２の実施の形態による移動携帯端末のチャンネル設定の自動最適化処理を示すフローチャートである。
【図５】本発明の第２の実施の形態による移動携帯端末の動作を説明するための図である。
【符号の説明】
【００４２】
１  移動携帯端末
１１  制御部
１２  無線部
１３  アンテナ
１４  メモリ
１５  ＧＰＳ機能部
１６  ＧＰＳ用アンテナ
１７  表示部
１８  操作部
１９  音声入出力部
【図１】
2009302691.tif 000003
【図２】
2009302691.tif 000004
【図３】
2009302691.tif 000005
【図４】
2009302691.tif 000006
【図５】
2009302691.tif 000007